(57)【特許請求の範囲】
【請求項１】
記録媒体装填部を覆う回動可能に軸止された扉本体と、
捲線部と、記録媒体再生装置の機器本体側に当接する支点側線部と、前記扉本体に当接する作用側線部とからなり、前記扉本体を開側に付勢する復帰バネとに
より構成された記録媒体再生装置の扉構造において、
前記機器本体側に設けられ、前記復帰バネの捲線部が収納され固定される凹部と、
前記凹部の上方に設けられ、前記復帰バネの作用側線部が通る作用側孔と、
前記凹部に下方に設けられ、前記復帰バネの支点側線部が通る支点側孔と、
前記支点側孔における前記凹部と反対側の下方に設けられ、前記復帰バネの支点側線部の中間部分に当接する支点突起とからなることを特徴とする記録媒体再生装置の扉構造。
【請求項２】
前記扉本体に設けられ、前記復帰バネの作用側線部が延びる方向に延設された溝部と、
前記溝部に設けられ、前記復帰バネの作用側線部の中間部が当接し、前記扉本体の開閉動作により該復帰バネと摺動状態となる摺動突起とからなることを特徴とする請求項１記載の記録媒体再生装置の扉構造。
【発明の詳細な説明】
【０００１】
【発明の属する技術分野】
本発明は、ＣＤプレーヤ等のディスクプレーヤや、カセットテーププレーヤ等の記録媒体再生装置における、ディスク等の媒体の装填部分を覆う扉の構造に関する。
【０００２】
【従来の技術】
ＣＤプレーヤ等のディスクプレーヤや、カセットテーププレーヤ等の記録媒体再生装置には、ディスク等の記録媒体装填部分の保護のため、一般的に扉が設けられている。このような扉の種類にはディスク等の装填方法に応じて適した構造が用いられている。使用者がディスク等を直接手で、装填位置に装填するタイプの再生装置の場合、回動構造の扉が用いられることが多い。この回動構造の扉は
、平面状の扉本体が再生装置本体側に軸止され、その扉本体をバネにより常時扉開側に付勢しておく構造で、扉閉状態では扉本体を係止構造により止めておき、扉を開く時は釦操作等によりこの係止状態を解除して、バネの弾性力により扉を開くようにしている。
【０００３】
【発明が解決しようとする課題】
このような回動構造の扉では、バネの弾性力が比較的強いため、バネと機器本体や扉との当接部分に加わる部分に問題が発生する。例えば、バネによる力が強いため、装置本体の当接部分が変形し、特に装置表面の裏側に当接する場合等は変形して見栄えが悪くなる為、補強用の鉄板を設置したりする必要がある。また
、バネの先端部分が扉や装置本体部分に当たる場合には、バネの先端部分が比較的尖っているので、突き刺さった状態となり、扉の動きが悪くなったり、ひどい場合には開閉不能状態に陥ることも考えられる。また、バネの取付は、通常回動軸にバネの捲線部を挿入し、さらにバネの弾性力に逆らい力を加えてバネを所定の状態にして、バネの両端を所定の位置に装填する方法で行うため、作業が困難である問題がある。
【０００４】
本発明はこのような問題点に鑑みなされたもので、補強用の部品を低減でき
、また組み立て作業が容易な記録媒体再生装置の扉構造を提供することを目的とする。
【０００５】
【課題を解決するための手段】
本発明は、上記目的を達成するため、記録媒体装填部を覆う回動可能に軸止された扉本体と、捲線部と、記録媒体再生装置の機器本体側に当接する支点側線部と、前記扉本体に当接する作用側線部とからなり、前記扉本体を開側に付勢する復帰バネとにより構成された記録媒体再生装置の扉構造において、前記機器本体側に設けられ、前記復帰バネの捲線部が収納され固定される凹部と、前記凹部の上方に設けられ、前記復帰バネの作用側線部が通る作用側孔と、前記凹部の下方に設けられ、前記復帰バネの支点側線部が通る支点側孔と、前記支点側孔における前記凹部と反対側の下方に設けられ、前記復帰バネの支点側線部の中間部分に当接する支点突起とからなることを特徴とする。
【０００６】
また、このような構成において、前記扉本体に設けられ、前記復帰バネの作用側線部が延びる方向に延設された溝部と、前記溝部に設けられ、前記復帰バネの作用側線部の中間部が当接し、前記扉本体の開閉動作により該復帰バネと摺動状態となる摺動突起とからなることを特徴とする。
【０００７】
【実施例】
次に本発明の一実施例について説明する。図１は、本発明の一実施例におけるディスクプレーヤの扉付近の構造を示す構成図である。尚、説明を分かり易くするため、主要部分のみを記載し、扉構造に直接関係の無いディスクのターンテーブルや信号を読み取る光ピックアップは省略している。
【０００８】
扉構造は、主に、ディスクプレーヤのディスク駆動機構、信号処理部、アンプ等のオーディオ回路が内蔵され、ディスクプレーヤの外筐を構成する樹脂等で成型された本体部１と、扉の本体を構成し樹脂等で成型された扉本体部２と、扉本体部２を覆い樹脂等で成型された断面Ｌ字形の扉カバー部３と、扉本体部２に開方向の復帰力を与えるバネ４とからなり、扉本体部２と扉カバー部３との結合により扉５が構成される。
【０００９】
まず、本体部１の構成を説明する。本体部１の上面には、ディスクの装填空間を形成するディスク装填孔１０が設けられ、そのディスク装填孔１０の底部には
、ディスクが搭載されるターンテーブルやディスクの信号を読み取る光ピックアップ等がディスクの装填空間に突出するための駆動部孔１１が設けられている。
尚、ディスク装填孔１０は、本体部１の背面側にも開放している。また、ディスク装填孔１０の縁には、扉５の閉状態で扉５の外周端部と当接し、扉５の閉状態での位置決めをする段部１２が形成されている。ディスク装填孔１０側面の背面開放側端の上部には扉本体部２を軸止するための軸突起１３が突出しており、これら軸突起１３は縦方向が横方向より若干長い直方体の角が面取りされた形状となっている。
【００１０】
ディスク装填孔１０の底部には、バネ４の収納・固定用の凹部１４、後述する扉５開放時の扉５開放速度を規制するためのギヤ板が挿入されるギヤ構造孔１５が設けられ、またディスク装填孔１０の側面には、後述する扉５の抜け防止用の突起が入り込む、凹所１６が設けられている。また、ディスク装填孔１０の図１右下近傍には、扉開放操作用の押釦１７が設けられている。尚、これらのディスク装填孔１０の各部は、樹脂成型により本体部１と共に一体成型される。
【００１１】
次に、扉本体部２について、図２も用いて説明する。図２は、扉本体部２の構造を示す構成図であり、 （Ａ）は底面図、（Ｂ）は上面図、（Ｃ） ， （Ｄ）は側面図である。扉本体部２の外形は、ディスク装填孔１０の段部１２の内側辺により形成される形状より若干小さい形状で、強度維持、材料削減、そして軽量化のためリブ２１が各所に設けられている。また、上面外周に沿って、扉カバー３との結合用の結合溝２２が設けられている。尚、扉本体部２の底面は、扉５開放時に見えるため、見栄えを良くするための表面処理が施されている。
【００１２】
また、扉本体部２両側面における図１の奥側端部には、軸突起１３と係合し、回動軸を構成する軸受部２３が構成されている。この軸受部２３は、径が軸突起１３の長径と略同じ（わずかに小さい）寸法で、開放部分が軸突起１３の長径より小さく、短径と略同じ（わずかに大きい）寸法の略円形の円形孔２４と、この円形孔２４を外側の空間に開放する円形孔２４側の幅がやや小さい開放孔２５からなり、これら円形孔２４と開放孔２５とは扉カバー３より突出して設けられた突出壁２６に形成されている。
【００１３】
扉本体部２における図１の右側面奥側端部には、図１下方側に向かって形成され、扉５の回動軸を中心とする角度９０度の扇形で、外周にギヤが形成されたギヤ板２７が形成され、またギヤ板２４には扉本体部２の本体部１からの抜けを防止するための抜止突起２８が設けられている。また扉本体部２における 図１の左側面奥側端部には、図１下方側に向かって形成された略扇形の抜止板２９が形成され、この抜止板２９には扉本体部２の本体部１からの抜けを防止するための抜止突起３０が設けられている。そして、扉本体部２における図１の右側面手前側端部には、図１下方側に向かって形成された扉５を閉鎖状態に係止するための係止突起３１が形成されており、この係止突起３１の先端部には先端が斜面３２となった係止爪３３が形成されている。扉本体部２の底面にはバネの一端の直線部分が位置するバネ溝３２が設けられ、そのバネ溝３２にはバネが当接する当接突起３３が設けられている。尚、これらの扉本体部２の各部は、樹脂成型により扉本体部２と共に一体成型される。
【００１４】
次に、扉カバー部３について、図３も用いて説明する。図３は、扉カバー部３の構造を示す構成図であり、 （Ａ）は底面図、（Ｂ）は上面図、 （Ｃ）は側面図である。扉カバー部３の外形は、ディスク装填孔１０の外形形状より若干小さい形状（段部１２に載る形状）に形成されている。扉カバー部３の底面には、結合溝２２と結合するための結合突壁３５が突設されており、この結合突壁３５には
、扉本体部２との結合力を強めるための結合突起２６が設けられている（扉本体部２の結合溝２２には、対応する位置にこの結合突起２が嵌入するための嵌入孔が設けられている）。また、扉カバー部３の上面は、ディスクプレーヤの上面意
匠となるため、見栄えを良くするための表面処理が施され、また文字等の飾りが施されている。
【００１５】
バネ４は、ステンレス、燐青銅等の弾性の高い金属線を巻回することにより形成され、巻回された巻線部５０と、扉本体部２に当接して扉本体部２に復帰力を付与する作用点側線部５１と、本体部１に当接して支点部分となる支点側線部５２とからなる。そして、バネ４の捲線部４は、凹部１４に収納され固定され、作用点側線部５１、 支点側線部５２は凹部１４のに設けられた孔から突出して、各
々扉本体部２および本体部１に当接する。
【００１６】
次に組み立て方法について説明する。先ず、バネ４を、本体部１の凹部１４に挿入する。尚、この際、作用点側線部５１は凹部１４の図１上方に突出し、また支点側線部５２は凹部１４の図１下方に突出するようにする。そして、扉５をディスク装填孔１０に嵌め込む。最後に、扉本体部２の結合溝２２に、扉カバー部３の結合突壁３５を圧入して、扉本体部２と扉カバー部３を結合し、回動軸の部分やリブ等が見えないようにする。この際、必要に応じて接着剤等を用いて結合強度を高めても良い。
【００１７】
次に扉５をディスク装填孔１０に嵌め込む方法を、図４を用いて説明する。図４は扉軸止機構の概略構造を示す概略構成図であり、 （Ａ）は挿入開始時、（Ｂ）は挿入完了時を示す。先ず、扉本体部２を立て、軸受部２３の開放孔２５と軸突起１３を対向させて、開放孔２５に軸突起１３を挿入する。この際、軸突起１３は開放孔２５への侵入方向に対する幅が狭い方であるため、軸突起１３は円形孔２４まで達する。そして、次に図４（Ｂ）の位置まで回転させる（扉５閉鎖状態となる）が、この際抜止突起２８，３０が、本体部１の壁面等に当たるため、ギヤ板２７，抜止板２９を撓ませて、ギヤ構造孔１５および凹所１６に挿入する
。扉５を図４（Ｂ）の位置まで回転させると、軸突起１３は開放孔２５への脱出方向に対する幅が広い方であるため、軸突起１３は円形孔２４から抜け出せず、また抜止突起２８がギヤ構造孔１５の縁に引っ掛かり、さらに抜止突起３０が凹所１６に引っ掛かり、扉５はディスク装填孔１０から抜け落ちることが防止される。
【００１８】
ギヤ構造孔１５の下部には、緩衝動作を行うダンバギヤ５２が設けられており
、図４（Ｂ）に示したギヤ板２７をギヤ構造孔１５に挿入した状態では、ギヤ板２７の歯部５１と、ダンパギヤ５２の歯部５３が噛合い、扉５開放時に扉５が適切な速度で開くようになっている。尚、ダンパギヤ５２は、オイルダンパや摩擦ダンパ等、既存の部品を用いて構成できる。
【００１９】
また、扉５をディスク装填孔１０から外す方法は、まず、扉５を回動させ、図４（Ａ）の状態にする。この状態では、軸突起１３は開放孔２５への侵入方向に対する幅が狭い方であるため、軸突起１３を円形孔２４から抜くことが可能である。尚、この際抜止突起２８，３０が、ギヤ構造孔１５の縁、凹所１６の縁等に引っ掛かっているため、ギヤ板２７，抜止板２９を撓ませて、扉５をディスク装填孔１０から外す。
【００２０】
次に、扉復帰機構について説明する。図５は、扉復帰機構の概略構造を示す概略構成図である。扉５に復帰（開放）力を与えるバネ４は、凹部１４に格納されている。凹部１４は、バネ４収納用の空間で本体部１に一体形成されるが、凹部１４には、バネ４が凹部１４から抜けでないように押さえる舌片６２が設けられ
、またバネ４の支点側線部５１が挿通する挿通孔６３が設けられている。そして
、凹部１４と反対側の挿通孔６３の縁には、バネ４の支点側線部５１が当接する支点突起６４が突接され（本体部１と一体成型）、支点側線部５１の中間部分（先端ではない）が当接している。また、支点突起６４を補強するための突起補強リブ６５が支点突起６４と一体に突設されている。また、バネ４の作用点側線部５１は凹部１４のからディスク装填孔１０側に突出し、作用点側線部５１はバネ溝３２に沿って延在し、その中間部分は当接突起３３に当接するようになっている。
【００２１】
このような構成により、扉５には、バネ４から開放方向の弾性力が加わっている。そして、扉５の回動中心とバネ４の捲線部５０は一致しておらず、扉５の回動に従ってバネ４の作用点側線部５１はバネ溝３２に沿って移動するが、バネ４の作用点側線部５１の中間部分が当接突起３３と摺動する状態となるので、バネ４の作用点側線部５１の先端部が扉５に突き刺さる状態とならず、滑らかな扉５の開閉動作が可能となる。
【００２２】
次に、扉の開放操作機構について説明する。図６は扉開操作部の概略構造を示す概略構成図である。扉開放操作機構は、押釦１７と、作動部７０と、扉本体部２に設けられた係止突起３１から構成される。作動部７０は、樹脂により形成され、作動軸７１を中心として回転可能に本体部１に固定されている。そして、作動部７０には、端部が本体部１に当接して矢印Ａ方向への弾性力を与える弾性片７２が形成されており、また先端に斜面７４を有する係止爪７３が形成されている。また、作動片７０には作用舌片部７５が形成されており、押釦１７の作用棒部７１が当接している。
【００２３】
次に動作を説明する。扉５閉鎖状態では係止爪７３と係止爪３３が係合している。ここで、押釦１７を押圧すると、作用舌片部７５が作用棒部７に押圧され作動部７０は作動軸を中心に矢印Ｂ方向に回転する。すると、係止爪７３と係止爪３３の係合が外れ、扉５はバネ４の弾性力により開放する。そして、押釦１７の押圧を解除すると、弾性片７２の弾性力により、作用部７０は、扉５閉鎖状態と同じ位置に戻る。また、扉５を閉鎖する方向に押圧移動すると、係止爪７３の斜面７４を係止爪３３の斜面３２が押圧し、作用部７０はＢ方向に回転する。すると、係止爪３３は係止爪７３を乗り越える。そして同時に係止爪３３の斜面３２の係止爪７３の斜面７４に対する押圧状態が解除され、弾性片７２の弾性力により、作用部７０は、扉５閉鎖状態と同じ位置に戻る。このため、係止爪７３と係止爪３３が係合状態となり、扉５が閉鎖状態に保たれる。
【００２４】
以上詳細に説明したように、本実施例によれば、バネ４を回動軸ではなく、凹部１４に格納・固定するので、バネ力に逆らいながら軸を軸受けに挿入する困難な軸固定等の作業を行う必要がなくなるので、組み立てが容易になる。また、バネ４と本体部１と当接部分が、扉の回動軸とはあまり関係無い位置に設定でき、該当接部分の強度を高めような構造を比較的自由に行えるので、鉄板による補強に頼ることなく、低コストで適切な扉構造を実現できる。また、扉カバー部３により、見栄えの悪い、軸受部や補強用リブを隠すことができるので、製品の見栄えを向上することができる。
【００２５】
【発明の効果】
以上詳細に説明したように、本発明によれば、見栄えがよく、部品点数が少なく、また組み立てが容易な記録再生装置の扉構造を実現できる。
【図面の簡単な説明】
【図１】本発明の一実施例におけるディスクプレーヤの扉付近の構造を示す構成図である。
【図２】扉本体部２の構造を示す構成図である。
【図３】扉カバー部３の構造を示す構成図である。
【図４】扉軸止機構の概略構造を示す概略構成図である。
【図５】扉復帰機構の概略構造を示す概略構成図である。
【図６】扉開操作部の概略構造を示す概略構成図である。
【符号の説明】
１・・・本体部
２・・・扉本体部
３・・・扉カバー部
４・・・バネ
５・・・扉部
【図１】
0003708315.tif 000002
【図２】
0003708315.tif 000003
【図３】
0003708315.tif 000004
【図４】
0003708315.tif 000005
【図５】
0003708315.tif 000006
【図６】
0003708315.tif 000007